(57)【要約】【課題】電磁妨害波の発生をあらかじめ抑えることができ、発生する電磁妨害波を遮断する電磁シールドを要しない平面ディスプレイパネルを備えた表示装置を提供する。【解決手段】この表示装置は、平面状の表示面を含む前面ガラス基板と、背面ガラス基板と、前記前面ガラス基板および前記背面ガラス基板の間に配置され前記表示面に平行な平面内で２次元マトリクスを構成している複数の画素に電界を印加する複数の電極と、を有する平面ディスプレイパネルと、前記平面ディスプレイパネルを背面側から支持するシャーシと、前記シャーシと前記平面ディスプレイとの間に配置され、前記シャーシと少なくとも一部で電気的に接触している導電体層と、前記導電体層と前記シャーシとの間に配置された絶縁体層と、前記シャーシの背面側に配置され、前記複数の電極を駆動して前記画素を発光させるドライバ駆動回路であって、前記シャーシの少なくとも一部と電気的に接続されている、ドライバ駆動回路と、を備える。【選択図】図２
2011164644.tif 000002
【特許請求の範囲】
【請求項１】
平面状の表示面を含む前面ガラス基板と、背面ガラス基板と、前記前面ガラス基板および前記背面ガラス基板の間に配置され前記表示面に平行な平面内で２次元マトリクスを構成している複数の画素に電界を印加する複数の電極と、を有する平面ディスプレイパネルと、
前記平面ディスプレイパネルを背面側から支持するシャーシと、
前記シャーシと前記平面ディスプレイとの間に配置され、前記シャーシと少なくとも一部で電気的に接触している導電体層と、
前記導電体層と前記シャーシとの間に配置された絶縁体層と、
前記シャーシの背面側に配置され、前記複数の電極を駆動して前記画素を発光させるドライバ駆動回路であって、前記シャーシの少なくとも一部と電気的に接続されている、ドライバ駆動回路と、
を備える表示装置。
【請求項２】
前記電極と前記ドライバ駆動回路とは、ケーブルを介して電気的に接続されていると共に、前記平面ディスプレイパネルの側面に前記ケーブルのグランド面であるケーブルグランドが設けられており、
前記ケーブルグランドは、前記シャーシと絶縁体を介して配置されてなることを特徴とする請求項１に記載の表示装置。
【請求項３】
前記ケーブルと前記ケーブルグランドとは、多層基板で形成されていることを特徴とする請求項２に記載の表示装置。
【請求項４】
前記導電体層と前記ケーブルグランドは、電気的に接続されていることを特徴とする請求項２又は３に記載の表示装置。
【請求項５】
前記導電体層は、前記平面ディスプレイパネル表面に形成された導電性膜又は導電性金属メッシュで構成されてなることを特徴とする請求項１から４のいずれか一項に記載の表示装置。
【請求項６】
前記電極グランドは、前記平面ディスプレイパネル表面に気相成膜法により成膜されてなることを特徴とする請求項５に記載の表示装置。
【請求項７】
前記気相成膜法は、蒸着法又はスパッタリング法のうちの一つであることを特徴とする請求項６に記載の表示装置。
【請求項８】
前記導電体層は、導電性テープからなることを特徴とする請求項１から４のいずれか一項に記載の表示装置。
【請求項９】
前記電極グランドは、導電性の熱伝導シートからなることを特徴とする請求項１から４のいずれかに記載の表示装置。
【請求項１０】
前記導電体層は、導電性金属板または導電性金属シートからなることを特徴とする請求項１から４のいずれかに記載の表示装置。
【請求項１１】
前記ドライバ駆動回路で前記複数の電極を駆動して、前記マトリクスを構成している前記画素を放電発光させて画面表示させることを特徴とする請求項１から１０のいずれか一項に記載の表示装置。
【発明の詳細な説明】
【技術分野】
【０００１】
本発明は、マトリクス駆動型の平面ディスプレイパネルを有するテレビ、モニター等の表示装置に関する。
【背景技術】
【０００２】
従来の陰極線管からなる表示装置の代わりに、マトリクス状の画素が形成され、この画素を直接電気的に駆動するマトリクス駆動型の平面ディスプレイパネルを有する表示装置が近年普及してきている。このマトリクス駆動型の平面ディスプレイパネルでは、縦横に延びる複数の電極ラインの交点に設けられたセルによって構成される画素をマトリックスとして有している。この種の表示装置は、マトリクス状の各セルを直接駆動して画像表示させているためマトリクス駆動型と呼ばれる。また、陰極線管を用いたディスプレイと異なり、電子銃等を要しないので容易に薄型の平面ディスプレイを構成することができる。
【０００３】
次に、このマトリクス駆動型の平面ディスプレイパネルを有する表示装置の中で、プラズマディスプレイパネル（以下、ＰＤＰ）表示装置について説明する。この表示装置のＰＤＰパネル１０では、シャーシをフレームグランド（ＦＧ）としてのみならず、駆動回路帰還グランド及び電極グランドとしても機能させている。以下、従来のＰＤＰ表示装置について図７〜図９を参照しながら説明する。このＰＤＰ表示装置は、平面ディスプレイパネルとしてのＰＤＰパネル５０と、ドライバ駆動回路５３ａ、５３ｂと、このＰＤＰパネルの電極５４とドライバ駆動回路を接続するケーブルとを備えている。具体的には、ＰＤＰパネル５０には、図８の斜視図に示すように、表示面側から背面側にかけて、前面ガラス基板６０と誘電体層６１との間に維持電極５４ａ、走査電極５４ｂが設けられている。また、誘電体層６１の下には放電ガスが封入された放電空間が画成され、この放電空間を挟んで書き込み電極５４ｃが設けられている。各書き込み電極５４ｃは、プラズマ放電が隣の電極に影響を及ぼさないように隔壁６２で分離されている。また、各書き込み電極５４ｃの上には、赤６３ａ、青６３ｂ、緑６３ｃの蛍光体が塗り分けられている。ドライバ駆動回路５３ａ、５３ｂにより選択されたセルがプラズマ放電し、赤６３ａ、青６３ｂ、緑６３ｃのそれぞれの蛍光体を発光させることで、カラー画像を形成する。さらに、書き込み電極５４ｃの下に背面ガラス基板６４、そしてこのＰＤＰパネル５０を保持するシャーシ５１が設けられている。またさらに、このシャーシ５１の背面側には、図７の（ａ）の斜視図と（ｂ）のＦ−Ｆ’線断面図に示すように、ドライバ駆動回路５３ａ、５３ｂが配置されている。このドライバ駆動回路５３ａは側方からケーブル５５を介して維持電極５４ａ、走査電極５４ｂと接続されており、ドライバ駆動回路５３ｂは、上下方向からケーブル５５を介して書き込み電極５４ｃと接続されている。また、これらのドライバ駆動回路５３ａ、５３ｂはシャーシ５１にそれぞれＢ、Ｂ’、Ｃ、Ｃ’の各点で接地されている。
【０００４】
この従来のＰＤＰ表示装置５０において、フレームグランド（ＦＧ）、駆動回路帰還グランド及び電極グランド等のそれぞれのグランドとして機能している部材について説明する。まず、このＰＤＰ表示装置におけるＰＤＰパネル５０では、最も大きな導電体として大面積の導電性金属板のアルミニウム板からなる平板状のシャーシ５１が設けられており、電気回路的にはこのシャーシ５１がＰＤＰ表示装置全体の基準となるグランド面であるフレームグランド（ＦＧ）として機能する。また、このシャーシ５１は電極５４ａ、５４ｂ、５４ｃに対してＰＤＰパネル５０の背面ガラス基板６４を介して配設されているため、電極５４ａ、５４ｂ、５４ｃのグランド面である電極グランドとしても機能している。さらに、駆動回路帰還グランドとして機能している部材について検討する。まず、ドライバ駆動回路５３ａ、５３ｂは、シャーシ５１の背面側に配置されており、ドライバ駆動回路５３ａ、５３ｂから発生した信号は、フレキシブルケーブル５５によって電極５４ａ、５４ｂ、５４ｃに伝えられる。一方、走査電極５４ａ、維持電極５４ｂのドライバ駆動回路５３ａのシグナルグランド（ＳＧ）はＢ、Ｂ’点でシャーシ５１に接地されている。また、書き込み電極５４ｃのドライバ駆動回路５３ｂのシグナルグランド（ＳＧ）はＣ、Ｃ’点でフレームグランド（ＦＧ）であるシャーシ５１に接地されている。このため、フレームグランドであると共に電極グランドであるシャーシ５１は、ドライバ駆動回路５３ａ、５３ｂの帰還電流が流れるグランド面である駆動回路帰還グランドとしても機能している。
【０００５】
しかし、上記のＰＤＰ表示装置におけるＰＤＰパネル５０では、維持電極５４ａ、走査電極５４ｂに１００Ｖｐ−ｐから２００Ｖｐ−ｐのパルス電圧の信号が印加され、書き込み電極５４ｃには３０Ｖｐ−ｐから１００Ｖｐ−ｐのパルス電圧の信号が印加されている。そのため、ＶＣＣＩ（情報処理装置等電波障害自主規制協議会）の基準に基づく電波の不要輻射の項目について検討すると、上記信号の基本波と、これらの高調波等による電磁妨害波を空中に放射するため、不要輻射ノイズレベルが大きく、他の電子機器に電磁的な悪影響を及ぼすという問題があった。
【０００６】
上記で発生する電磁妨害波による外部機器への影響を抑制する解決策として、図９に示すように、アルミからなる導電性金属筐体７０と前面ガラス７１の表面に形成した銀蒸着による導電性膜又は導電性金属メッシュとで電磁シールドを構成し、発生した電磁妨害波を遮断する電磁シールド構造が採用されている。
【発明の概要】
【発明が解決しようとする課題】
【０００７】
しかし、上記のような従来のＰＤＰ表示装置における電磁シールド構造では、前面ガラス７１の表面に形成した銀蒸着による導電性膜又は導電性金属メッシュはＰＤＰパネル５０の表示面側に形成されている。このため、放電により各セルから発光される可視光線が遮断され輝度が低下するという課題があった。また、透明の導電膜では電気抵抗が大きいために、発生する電磁妨害波を十分に遮断することができなかった。
【０００８】
そこで、本発明の目的は、電磁妨害波の発生をあらかじめ抑えることができ、発生する電磁妨害波を遮断する電磁シールドを要しない平面ディスプレイパネルを備えた表示装置を提供することである。
【課題を解決するための手段】
【０００９】
本発明に係る表示装置は、表示面側から背面側にかけて、平面状の表示面と、前記表示面に平行な平面内で２次元マトリクスを構成している複数の画素に電界を印加する複数の電極と、前記電極に近接して配置されている前記電極のグランド面である平面状の電極グランドと、前記電極グランドと近接して配置されている平面状のフレームグランドとを積層してなるマトリクス駆動型の平面ディスプレイパネルと、
前記フレームグランドの背面に配置されている前記複数の電極を駆動して前記画素を発光させるドライバ駆動回路と
を備えることを特徴とする。
【００１０】
ここで、電極グランドとしては、銅テープを用いることができる。また、これに限られることなく、例えば、アルミなどの他の導電性材料、導電性を有すると共に熱伝導性を有するシート、導電性金属板、導電性金属シート、ガラス基板と一体成型された導電体、ガラス基板に蒸着法、スパッタリング法により直接成膜された薄膜等を用いてもよい。また、エッチング法等により露出させた面を電極グランドとして用いてもよい。
【００１１】
さらに、フレームグランドとは、この表示装置全体の基準となるグランド面であって、最も大きな導電体である。この表示装置では、例えば、平面ディスプレイパネルのガラス基板を支持する平面状のシャーシがフレームグランドとして機能する。このシャーシとしては、アルミニウム等の板状体を用いることができる。この場合に、電極グランドは、フレームグランドであるシャーシと絶縁体、例えば接着剤等を介して配置される。これによって電極グランドをフレームグランドとは別のグランド面として設けることができる。
【００１２】
また、本発明に係る表示装置は、前記表示装置であって、前記ドライバ駆動回路の帰還電流が流れるグランド面である駆動回路帰還グランドは、前記表示装置全体に対するグランド面である前記フレームグランドと同一のグランド面を有することを特徴とする。
【００１３】
この場合、ドライバ駆動回路の帰還電流によるグランド面である駆動回路帰還グランドはフレームグランドと同一である。これによって、電極グランドはドライバ駆動回路の帰還電流によるグランド面の電圧変動等の影響を受けなくなり、電極と電極グランドで形成される電気回路から空中に放射される駆動信号の基本波と、これらの高調波等による電磁妨害波の発生を抑制できる。これにより、あらかじめ電磁妨害波の発生を抑制しているので、電磁妨害波を遮断するための導電性金属筐体と導電性前面ガラス等の電磁シールドを不要とすることができる。また、平面ディスプレイパネルを有する表示装置を廉価に製造することができると共に、電磁シールドとして導電性前面ガラスを設けた場合の輝度低下を避けることができ、格段に高画質を実現できる。
【００１４】
さらに、本発明に係る表示装置は、前記表示装置であって、前記ドライバ駆動回路の帰還電流が流れるグランド面である前記駆動回路帰還グランドは、前記表示装置全体に対するグランド面である前記フレームグランドと絶縁体を介して配置されてなることを特徴とする。
【００１５】
ここで、駆動回路帰還グランドとしては銅板を用いることができる。また、これに限られず、例えばアルミなどの他の導電性材料を用いてもよい。
【００１６】
このように、駆動回路帰還グランドをフレームグランドと絶縁体を介して配置することで、駆動回路帰還グランドをフレームグランドとは別のグランド面として設けることができる。これによってフレームグランドはドライバ駆動回路の帰還電流によるグランド面の電圧変動等の影響を受けなくなり、安定したグランドとなるため電磁妨害波の発生を抑制できる。
【００１７】
またさらに、本発明に係る表示装置は、前記表示装置であって、前記電極グランドは、前記フレームグランドと絶縁体を介して配置されてなることを特徴とする
【００１８】
また、本発明に係る表示装置は、前記表示装置であって、前記電極グランドは、前記フレームグランドに少なくとも１点で電気的に接続されていることを特徴とする。
【００１９】
このように、電極グランドをフレームグランドに少なくとも１点で電気的に接続することで、電極グランドは安定したグランドとなるため、ドライバ駆動回路の帰還電流によるグランド面の電圧変動等の影響を受けなくなり、電極、電極グランド等で形成される電気回路から空中に放射される駆動信号による電磁妨害波の発生が抑制できる。
【００２０】
さらに、本発明に係る表示装置は、前記表示装置であって、前記電極と前記ドライバ駆動回路とは、ケーブルで電気的に接続されていると共に、前記ケーブルのグランド面であるケーブルグランドが設けられており、
前記ケーブルグランドは、前記駆動回路帰還グランドと絶縁体を介して配置されてなることを特徴とする。
【００２１】
ここで、ケーブルグランドとして、銅テープを用いることができる。また、これに限られずアルミなどの他の導電性材料、グランド層を有する多層基板、ケーブルに蒸着法、スパッタリング法等により直接成膜された薄膜等を用いてもよい。また、エッチング法により露出させた面をケーブルグランドとして用いてもよい。なお、このケーブルとしては、フレキシブルケーブルを用いることができる。
【００２２】
このように、電極とドライバ駆動回路とを電気的に接続するケーブルのグランド面であるケーブルグランドを、駆動回路帰還グランドと絶縁体を介して配置することで、ケーブルグランドはドライバ駆動回路の帰還電流によるグランド面の電圧変動等の影響を受けなくなる。これによって、ケーブルとケーブルグランドで形成される電気回路から空中に放射される駆動信号による電磁妨害波の発生が抑制できる。
【００２３】
またさらに、本発明に係る表示装置は、前記表示装置であって、前記ケーブルと前記ケーブルグランドとは多層基板で形成されていることを特徴とする。
【００２４】
ここで、多層基板としては、ケーブルとケーブルグランドとを絶縁体を介して保持している基板を用いることができる。なお、ケーブル、絶縁体及びケーブルグランドの３層構造を有していればよく、平面積層体に限られず、ケーブルを軸として周囲を絶縁体で覆い、外面にケーブルグランドを設けてもよい。
【００２５】
また、本発明に係る表示装置は、前記表示装置であって、前記電極グランドと前記ケーブルグランドは、電気的に接続されていることを特徴とする。
【００２６】
このように、電極グランドとケーブルグランドを電気的に接続することで、グランド面を大きくでき、安定したグランドとなるため、ドライバ駆動回路の帰還電流によるグランド面の電圧変動等の影響を受けなくなり、電極、ケーブル、電極グランド及びケーブルグランドで形成される電気回路から空中に放射される駆動信号による電磁妨害波の発生が抑制できる。
【００２７】
さらに、本発明に係る表示装置は、前記表示装置であって、前記駆動回路帰還グランドは、前記駆動回路帰還グランドとは電気的な接触を有しない導電性部材からなる駆動回路帰還シールドで覆われてなることを特徴とする。
【００２８】
このように、駆動回路帰還グランドを導電性部材からなる駆動回路帰還シールドで覆うことで、駆動回路帰還グランドから発生する電磁妨害波の外部への漏出を抑制できる。なお、この駆動回路帰還シールドは、駆動回路帰還グランドとは電気的な接触を有しない。
【００２９】
またさらに、本発明に係る表示装置は、前記表示装置であって、前記駆動回路帰還シールドは、前記フレームグランドに、少なくとも１点で電気的に接続されていることを特徴とする。
【００３０】
このように、駆動回路帰還シールドをフレームグランドに接地することで、駆動回路帰還シールドは電気的に安定し、駆動回路帰還グランドからの電磁妨害波の発生を抑制できる。
【００３１】
また、本発明に係る表示装置は、前記表示装置であって、前記電極グランドは、導電性テープからなることを特徴とする。
【００３２】
このように、電極グランドを導電性テープで構成することで、平面ディスプレイパネルのガラス基板に容易に貼り付けることが可能となり、簡易な取り付けを実現すると共に、安定した電極のグランド面を確保できる。これによって、ドライバ駆動回路の帰還電流によるグランド面の電圧変動等の影響を受けなくなり、電極、電極グランド等で形成される電気回路から空中に放射される駆動信号の基本波とその高調波等による電磁妨害波の発生を抑制できる。
【００３３】
さらに、本発明に係る表示装置は、前記表示装置であって、前記電極グランドは、前記平面ディスプレイパネル表面に形成された導電性膜又は導電性金属メッシュで構成されてなることを特徴とする。
【００３４】
このように、電極グランドを平面ディスプレイパネル表面に形成された導電性膜または導電性金属メッシュで構成することで、電極グランドを作成する作業性が向上すると共に、安定した電極のグランド面を確保できる。これによって、ドライバ駆動回路の帰還電流によるグランド面の電圧変動等の影響を受けなくなり、電極と電極グランド等で形成される電気回路から空中に放射される駆動信号の基本波とその高調波等による電磁妨害波の発生が抑制できる。
【００３５】
またさらに、本発明に係る表示装置は、前記表示装置であって、前記電極グランドは、前記平面ディスプレイパネル表面に、気相成膜法により成膜されてなることを特徴とする。
【００３６】
また、本発明に係る表示装置は、前記表示装置であって、前記気相成膜法は、蒸着法またはスパッタリング法のうちの一つであることを特徴とする。
【００３７】
このように電極グランドを平面ディスプレイパネル表面に、蒸着法やスパッタリング法等の気相成膜法により成膜して構成することによって作業性を改善し、容易に電極グランドを形成することができる。
【００３８】
さらに、本発明に係る表示装置は、前記表示装置であって、前記電極グランドは導電性の熱伝導シートからなることを特徴とする。
【００３９】
このように、電極グランドを導電性の熱伝導シートで構成することで、平面ディスプレイパネルの発熱に対して熱伝導効果による冷却を実現すると共に安定した電極のグランド面が確保できる。これによって、ドライバ駆動回路の帰還電流によるグランド面の電圧変動等の影響を受けなくなり、電極、電極グランド等で形成される電気回路から空中に放射される駆動信号の基本波とその高調波等による電磁妨害波の発生が抑制できる。
【００４０】
またさらに、本発明に係る表示装置は、前記表示装置であって、前記電極グランドは、導電性金属板または導電性金属シートからなることを特徴とする。
【００４１】
また、本発明に係る表示装置は、前記表示装置であって、前記ドライバ駆動回路で前記複数の電極を駆動して、前記マトリクスを構成している前記画素を放電発光させて画面表示させることを特徴とする。
【００４２】
このように縦横に延在する複数の電極の交点である画素がマトリクスを構成しており、各画素を放電発光させて画面表示させているので、容易に薄型の平面ディスプレイを構成することができる。この表示装置としては、例えば、ＰＤＰ表示装置である。
【００４３】
さらに、本発明に係る表示装置は、前記表示装置であって、前記平面ディスプレイパネルは、背面側から表示面側にかけて、
前記表示装置全体のグランド面である平面状のフレームグランドと、
前記フレームグランドと平面状の絶縁体を介して配置されている平面状の電極グランドと、
前記平面状の電極グランドと平面状の絶縁体基板を介して配置されている複数の第１電極と、
前記複数の第１電極と、放電ガスが封入された放電空間を挟んで対向している複数の第２電極と、
表示面である平面状の表示パネルと
を順に積層して構成され、
前記画素は、前記第１電極と前記第２電極の交点に対応して構成されることを特徴とする。
【発明の効果】
【００４４】
以上詳述した通り、本発明に係る表示装置によれば、表示面側から背面側にかけて、電極と、この電極に近接して平面状の電極グランドが配置されている。また、この電極グランドに近接して平面状のフレームグランドが配置されている。一方、ドライバ駆動回路の帰還電流が流れる駆動回路帰還グランドは、フレームグランドと同一のグランド面で構成される場合がある。これによって、電極グランドは駆動回路帰還グランドと別のグランド面として設けることができる。そのため、電極グランドは、ドライバ駆動回路の帰還電流によるグランド面の電圧変動等の影響を受けなくなって安定したグランドとなり、電極と電極グランドで形成される電気回路から空中に放射される駆動信号による電磁妨害波の発生を抑制できる。そこで、平面ディスプレイパネルから発生する電磁妨害波を遮断するための導電性金属筐体と導電性前面ガラスによる電磁シールドを不要とすることができる。そのため、従来の方法に比べて、平面ディスプレイパネルを有する表示装置を廉価に製造することができ、電磁シールドとして導電性前面ガラスを用いた場合の輝度低下を避けることができ、格段に高画質を実現できる。
【図面の簡単な説明】
【００４５】
【図１】（ａ）は、実施の形態１に係る表示装置におけるＰＤＰパネルの構成を示す斜視図であり、（ｂ）は、（ａ）のＡ−Ａ’線断面図である。
【図２】実施の形態１に係る表示装置におけるＰＤＰパネルの電極構造を示す拡大斜視図である。
【図３】（ａ）は、実施の形態２に係る表示装置としてのＰＤＰパネルの構成を示す斜視図であり、（ｂ）は、（ａ）のＤ−Ｄ’線断面図である。
【図４】（ａ）は実施の形態２に係る表示装置ａと従来の表示装置ｂの水平方向成分のノイズレベルを示すグラフであり、（ｂ）は垂直方向のノイズレベルを示すグラフである。
【図５】（ａ）は、実施の形態３に係る表示装置におけるＰＤＰパネルの構成を示す斜視図であり、（ｂ）は、（ａ）のＥ−Ｅ’線断面図である。
【図６】実施の形態４に係る表示装置におけるＰＤＰパネルの駆動回路帰還グランドと駆動回路帰還シールドの斜視図である。
【図７】（ａ）は、従来の表示装置におけるＰＤＰパネルの構成を示す斜視図であり、（ｂ）は、（ａ）のＦ−Ｆ’線断面図である。
【図８】従来の表示装置におけるＰＤＰパネルの電極構造を説明するための拡大斜視図である。
【図９】従来の表示装置におけるＰＤＰパネルの電磁シールド構造を説明するための斜視図である。
【発明を実施するための形態】
【００４６】
本発明の実施の形態に係る表示装置について、以下に添付図面を用いて説明する。各図では、実施の形態としての表示装置において電磁妨害波の不要輻射に深く関連する構造物のみを示している。実施の形態に係る表示装置は、複数の電極を有するマトリクス駆動型の平面ディスプレイパネルと、電極を駆動するドライバ駆動回路とを備えている。また、この表示装置は、電極のグランド面として電極グランドが電極と絶縁体を介して近接して設けられている。この電極グランドは、ドライバ駆動回路の帰還電流が流れるグランド面である駆動回路帰還グランドと絶縁他を介して配置されている。このように電極グランドが駆動回路帰還グランドと絶縁体を介して配置されているので、ドライバ駆動回路の帰還電流によるグランド面の電圧変動等の影響を受けなくなって安定したグランドとなり、電極と電極グランドで形成される電気回路から空中に放射される駆動信号の基本波とその高調波による電磁妨害波の発生を抑制できる。
【００４７】
（実施の形態１）
本発明の第１実施の形態に係る表示装置では、電極のグランド面として電極グランドが電極と絶縁体を介して近接して配置されている。この電極グランドは、ドライバ駆動回路の帰還電流が流れるグランド面である駆動回路帰還グランドと絶縁体を介して配置されている。これによって、電極グランドは、ドライバ駆動回路の帰還電流によるグランド面の電圧変動等の影響を受けなくなって安定したグランドとなり、電極と電極グランドで形成される電気回路から空中に放射される駆動信号の基本波とその高調波による電磁妨害波の発生を抑制できる。そのため平面ディスプレイパネルから発生する電磁妨害波を遮断するための導電性金属筐体と導電性前面ガラス等の電磁シールドを要しない。そこで、従来のＰＤＰ表示装置に比べて、平面ディスプレイパネルを有する表示装置を廉価に製造することができ、電磁シールドとして導電性前面ガラスを用いた場合の輝度低下を抑制でき、格段に高画質を実現できる。
【００４８】
この表示装置では、図１の（ａ）の斜視図と、（ｂ）に示す（ａ）のＡ−Ａ’線断面図と、図２の拡大斜視図に示すように、絶縁体である背面ガラス基板２４とシャーシ１１との間に設けられた銅テープ１６を電極１４の電極グランドとして機能させている。この電極グランドは、ドライバ駆動回路１３ａ、１３ｂの帰還電流が流れるグランド面である駆動回路帰還グランドと絶縁体である接着剤２５を介して配置されている。なお、この表示装置としては、例えば、ＰＤＰパネル１０を有するカラーテレビである。具体的には、この表示装置は、平面ディスプレイパネルとしてのＰＤＰパネル１０と、ドライバ駆動回路１３ａ、１３ｂと、このＰＤＰパネル１０の電極１４と、ドライバ駆動回路１３ａ、１３ｂを接続するケーブル１５ａ、１５ｂとを備えている。
【００４９】
さらに具体的には、このＰＤＰパネル１０は、図２の拡大斜視図に示すように、背面側から表示面側にかけて、その構成を説明する。まず、背面側には、ＰＤＰパネル１０全体を支持する平面状のシャーシ１１が設けられている。このシャーシ１０は、表示装置全体の基準となるグランド面としてのフレームグランドとして機能する。次に、このシャーシ１１上に絶縁体である接着剤２５を介して平面状の銅テープ１６が貼り付けられている。またこの銅テープ１６は、ＰＤＰパネルの側面でシャーシ１１の側面に接地されている。さらにこの銅テープ１６の上に背面ガラス基板２４を介して書き込み電極１４ｃが配置されている。各書き込み電極１４ｃは、プラズマ放電が隣の電極に影響を及ぼさないように隔壁２２で分離されており、各書き込み電極１４ｃの上には、赤２３ａ、青２３ｂ、緑２３ｃの蛍光体が塗り分けられている。この書き込み電極１４ｃに対して、放電ガスが封入された放電空間と平面状の誘電体層を挟んで対向する維持電極１４ａ及び走査電極１４ｂが設けられている。また、この維持電極１４ａと走査電極１４ｂ上に表示面となる前面ガラス基板が配置されている。
【００５０】
さらに、このシャーシの背面側には、図１の（ａ）の斜視図と（ｂ）のＡ−Ａ’線断面図に示すように、ドライバ駆動回路１３ａ、１３ｂが配置されている。このドライバ駆動回路１３ａはＰＤＰパネル１０の側方からケーブル１５ａを介して維持電極１４ａ、走査電極１４ｂと接続されており、ドライバ駆動回路１３ｂは、上下方向からケーブル１５ｂを介して書き込み電極１４ｃと接続されている。また、これらのドライバ駆動回路１３ａ、１３ｂはシャーシ１１にそれぞれＢ、Ｂ’、Ｃ、Ｃ’の各点で接地されている。このドライバ駆動回路１３ａ、１３ｂから発生した信号は、ケーブル１５ａ、１５ｂによってＰＤＰパネル１０の各電極１４ａ、１４ｂ、１４ｃに伝えられる。
【００５１】
次に、このＰＤＰパネルの画面表示について説明する。まず、ドライバ駆動回路１３ａ、１３ｂにより選択されたセル（画素）の放電空間に封入されている放電ガスをプラズマ放電させ、書き込み電極上の赤２３ａ、青２３ｂ、緑２３ｃのそれぞれの蛍光体を発光させることで、カラー画像を形成している。
【００５２】
さらに、この表示装置において、電極グランド、フレームグランド及び駆動回路帰還グランドのそれぞれのグランドとして機能している部材について説明する。まず、このＰＤＰパネル１０のシャーシ１１上に接着剤２５を介して設けられた銅テープ１６は、絶縁体である背面ガラス基板２４を挟んで電極１４と対向しており、高周波電流に対しては電極１４のグランド面である電極グランドとして機能している。次に、この表示装置では、最も大面積の導電体として導電性金属板のアルミニウム板からなるシャーシ１１が設けられており、電気回路的にはこのシャーシ１１がフレームグランド（ＦＧ）として機能する。さらに、駆動回路帰還グランドとして機能している部材について検討する。まず、ドライバ駆動回路１３ａ、１３ｂは、シャーシ１１の背面側に配置されており、ドライバ駆動回路１３ａ、１３ｂから発生した信号は、フレキシブルケーブル１５によって電極１４ａ、１４ｂ、１４ｃに伝えられる。一方、走査電極１４ａ、維持電極１４ｂのドライバ駆動回路１３ａのシグナルグランド（ＳＧ）はＢ、Ｂ’点でシャーシ１１に接地されている。また、書き込み電極１４ｃのドライバ駆動回路１３ｂのシグナルグランド（ＳＧ）はＣ、Ｃ’点でフレームグランド（ＦＧ）であるシャーシ１１に接地されている。このため、シャーシ１１は、フレームグランドであるとともに、ドライバ駆動回路１３ａ、１３ｂの帰還電流が流れるグランド面である駆動回路帰還グランドとしても機能している。なお、シャーシ１１としては、アルミニウム板に限られず、例えば銅板等の別の導電体を用いてもよい。
【００５３】
なお、電極グランドとしては、銅テープ１６に限られず、その他の導電性材料からなる薄膜や導電性シートを用いてもよい。また、銅テープ１６とシャーシ１１との間には接着剤に限られず、その他の絶縁体を介在させてもよい。例えば、熱伝導性のシートを介して銅テープ１６等からなる電極グランドを配設してもよい。
【００５４】
（実施の形態２）
本発明の第２実施の形態に係る表示装置では、電極とドライバ駆動回路とを接続しているケーブルのグランド面であるケーブルグランドが設けられている。また、このケーブルグランドは、駆動回路帰還グランドと絶縁体を介して配置されており、電極グランドと電気的に接続されている。さらに、フレームグランドに電気的に接続した電極グランドは、フレームグランドと絶縁体を介して配置されている。これによって、電極グランドと、ケーブルグランドとは、それぞれドライバ駆動回路の帰還電流によるグランド面の電圧変動等の影響を受けなくなって安定したグランドとなり、電極と電極グランド、それにケーブルとケーブルグランドでそれぞれ形成される電気回路から空中に放射される駆動信号の基本波とその高調波による電磁妨害波の発生を抑制できる。そこで、あらかじめ電磁妨害波の発生を抑制でき、平面ディスプレイパネルから発生する電磁妨害波を遮断する導電性金属筐体と導電性前面ガラス等の電磁シールドを不要とすることができる。また、従来のＰＤＰ表示装置に比べて、平面ディスプレイパネルを備えた表示装置を廉価に製造することができ、電磁シールドとして導電性前面ガラスを用いた場合の輝度低下を抑制でき、格段に高画質を実現できる。
【００５５】
この表示装置では、図３の（ｂ）のＤ−Ｄ’線断面図に示すように、電極１４とドライバ駆動回路１３ａ、１３ｂとを接続しているケーブル１５ａ、１５ｂに設けられた銅テープ１６は、ケーブル１５のグランド面であるケーブルグランドとして機能している。このケーブルグランドは、ドライバ駆動回路１３ａ、１３ｂの帰還電流が流れるグランド面である駆動回路帰還グランドと絶縁体を介して配置されている。なお、この表示装置としては、例えば、ＰＤＰパネル１０を有するカラーテレビである。
【００５６】
具体的には、この表示装置は、実施の形態１に係る表示装置と比較すると、図３の（ｂ）のＤ−Ｄ’線断面図に示すように、ケーブル１５には、例えば銅テープ１７が配設されており、ケーブル１５のグランド面であるケーブルグランドとして機能している点で相違する。また、このケーブルグランドである銅テープ１７は、電極グランドである銅テープ１６に接続されている。なお、このケーブルグランドである銅テープ１７は、絶縁体を介してケーブル１５に取り付けられている。
【００５７】
次に、この表示装置と図７に示した従来のＰＤＰ表示装置との放射ノイズ測定結果の比較を図４に示す。この図４の（ａ）は水平方向成分のノイズレベルを示すグラフであり、（ｂ）は垂直方向のノイズレベルを示すグラフである。また、図４中、線ａはこの表示装置の測定値による線であり、線ｂは図７に示す従来のＰＤＰ表示装置の測定値による線である。この図４の（ａ）、（ｂ）から、この表示装置では、水平方向及び垂直方向のいずれにおいてもおよそ１００ＭＨｚ付近でのノイズレベルが従来のＰＤＰ装置に比べて改善されていることがわかる。
【００５８】
なお、この放射ノイズの測定方法は、以下の通りである。まず、ＰＤＰ表示装置を電波暗室のなかの回転テーブルに設置し、ＰＤＰ表示装置を載せたまま回転テーブルを３６０°回転させて３ｍ離れた地点での電界強度を各周波数ごとに測定する。このとき、各周波数ごとに３６０°回転させて電界強度が最大となる値をそれぞれ観測し、各周波数についてプロットして図４の放射ノイズ測定結果を得る。なお、各周波数ごとに電界強度が最大となる方向が異なる場合には、各周波数ごとに電界強度が最大となる方向における電界強度を測定値として用いる。
【００５９】
（実施の形態３）
本発明の第３実施の形態に係る表示装置は、ドライバ駆動回路をフレームグランドであるシャーシに接地することなく銅板に接地している。この銅板は、駆動回路の帰還電流が流れる駆動回路帰還グランドとして機能し、フレームグランドとしてのシャーシとは別のグランド面を構成している。これによって、フレームグランドはドライバ駆動回路の帰還電流によるグランド面の電圧変動等の影響を受けなくなって安定したグランドとなり、電極と電極グランド等で形成される電気回路から空中に放射される駆動信号とその高調波による電磁妨害波の発生が抑制できる。これによって、発生する電磁妨害波を遮断するための導電性金属筐体や導電性前面ガラス等の電磁シールドを不要とすることができる。そこで従来の方法に比べて、平面ディスプレイパネルを有する表示装置を廉価に製造することができ、導電性前面ガラスによる輝度低下が抑制でき、格段に高画質を実現できる。
【００６０】
この表示装置では、図５の（ａ）の斜視図と、（ｂ）のＥ−Ｅ’線断面図に示すように、実施の形態２に係る表示装置と比較すると、ドライバ駆動回路１３ａ、１３ｂをシャーシ１１に接地することなく、銅板１８に接地している点で相違する。具体的には、ドライバ駆動回路１３ａのシグナルグランドと電気的に接続する銅板１８ａと、ドライバ駆動回路１３ｂを電気的に接続する銅板１８ｂとを設けている。この銅板１８ａはドライバ駆動回路１３ａの帰還電流が流れるグランド面である駆動回路帰還グランドとして機能し、銅板１８ｂはドライバ駆動回路１３ｂの帰還電流が流れるグランド面である駆動回路帰還グランドとして機能している。
【００６１】
（実施の形態４）
本発明の実施の形態４に係る表示装置では、駆動回路帰還グランドは導電性部材からなる駆動回路帰還シールドで覆われている。これによって、ドライバ駆動回路と駆動回路帰還グランドで形成される電気回路から空中に放射される駆動信号とその高調波による電磁妨害波をシールドできる。
【００６２】
この表示装置では、図６に示すように、実施の形態３に係る表示装置と比較すると、駆動回路帰還グランドである銅板１８を覆う銅板１９が設けられている。この銅板１９は、図６に示すように、Ｆ点とＦ’点とでシャーシ１１に電気的に接続されており、駆動回路帰還グランドから放射される電磁妨害波をシールドする駆動回路帰還シールドとして機能する。
【００６３】
以上、本発明の実施の形態に関する説明において、表示装置としては、ＰＤＰ表示装置について述べたが、本発明はこれに限られるものではなく、液晶等の複数の電極を有するマトリクス駆動型の平面ディスプレイパネルを備えた表示装置等にも適用できる。この場合にも、同様の効果を奏する。
【００６４】
なお、上記の実施の形態では、表示装置として４２型のＰＤＰカラーテレビを例として述べたが、その他のサイズの表示装置にも適用できる。
【符号の説明】
【００６５】
１０  ＰＤＰパネル                    １１  シャーシ
１２  スタンド
１３ａ  ドライバ駆動回路（走査、維持電極用）
１３ｂ  ドライバ駆動回路（書き込み電極用）
１４  電極                            １４ａ  維持電極
１４ｂ  走査電極                      １４ｃ  書き込み電極
１５ａ、１５ｂ  フレキシブルケーブル  １６  銅テープ（電極グランド）
１７  銅テープ（ケーブルグランド）    １８  銅板（駆動回路帰還グランド）
１９  駆動回路帰還シールド            ２０  前面ガラス基板
２１  誘電体層                        ２２  隔壁
２３ａ  赤色蛍光体                    ２３ｂ  青色蛍光体
２３ｃ  緑色蛍光体                    ２４  背面ガラス基板
２５  絶縁体                          ５０  ＰＤＰ表示パネル
５１  シャーシ                        ５２  スタンド
５３ａ  ドライバ駆動回路（走査、維持電極用）
５３ｂ  ドライバ駆動回路（書き込み電極用）
５４  電極                            ５４ａ  維持電極
５４ｂ  走査電極                      ５４ｃ  書き込み電極
５５ａ、５５ｂ  フレキシブルケーブル  ６０  前面ガラス基板
６１  誘電体層                        ６２  隔壁
６３ａ  赤色蛍光体                    ６３ｂ  青色蛍光体
６３ｃ  緑色蛍光体                    ６４  背面ガラス基板
７０  導電性金属筐体                  ７１  導電性前面ガラス
【図１】
2011164644.tif 000003
【図２】
2011164644.tif 000004
【図３】
2011164644.tif 000005
【図４】
2011164644.tif 000006
【図５】
2011164644.tif 000007
【図６】
2011164644.tif 000008
【図７】
2011164644.tif 000009
【図８】
2011164644.tif 000010
【図９】
2011164644.tif 000011